(57)【要約】【課題】簡易な構造にもかかわらず最短距離と最短時間で、捕獲ワイヤの縮径作動が行えるように構成した害獣捕獲具を提供せんとするものである。【解決手段】周縁に側壁を立ち上げた筒基盤と筒基盤の側壁に両端部をそれぞれ枢支し左右それぞれを起立付勢した半円弧状の左右ワイヤ保持体と、左右ワイヤ保持体の倒伏状態で左右ワイヤ保持体の半円弧外周面を囲繞した捕獲ワイヤのループ部と、左右ワイヤ保持体を囲繞したワイヤのループ部基部を引張ってループを縮径付勢するワイヤ縮径付勢機構とにより構成した。【選択図】図１
2020124184.tif 000002
【特許請求の範囲】
【請求項１】
周縁に側壁を立ち上げた筒基盤と筒基盤の側壁に両端部をそれぞれ枢支し左右それぞれを起立付勢した半円弧状の左右ワイヤ保持体と、
左右ワイヤ保持体の倒伏状態で左右ワイヤ保持体の半円弧外周面を囲繞した捕獲ワイヤのループ部と、
左右ワイヤ保持体を囲繞したワイヤのループ部基部を引張ってループを縮径付勢するワイヤ縮径付勢機構とにより構成したことを特徴とする害獣捕獲具。
【請求項２】
ループ状ワイヤのループ基部となるワイヤ両自由端部を挿通ガイドするワイヤガイド部材と、該ガイド部材の下手側に配設し、ループ基部から延出した二本のワイヤをそれぞれ挿通した二本のワイヤ挿通パイプと、
二本のワイヤ挿通パイプの開口基端に当接したワイヤを緊張方向に自在に引張りその位置で固定できると共に、ワイヤを弛緩方向に緩めることができるワイヤワンウェイ機能付きのストッパー機能部材と、二本のそれぞれのワイヤ挿通パイプ中において、ワイヤ外周を囲繞し、ストッパー機能部材とワイヤガイド部材との間に圧縮介在した巻きバネと、よりなることを特徴とし、また、二本のワイヤ挿通パイプは筒状の外形ケース中に一体に収納していることを特徴とするワイヤ縮径付勢機構。
【発明の詳細な説明】
【技術分野】
【０００１】
この発明は、害獣捕獲具に関する。
【０００２】
従来、害獣捕獲具は、基本的に踏板を害獣が踏むと踏板に係合したループ状の捕獲ワイヤが踏板から離脱してループ形状がスプリングを介して縮径して害獣の脚部を緊締して害獣を捕獲するように構成されている。
すなわち、害獣捕獲具の基本は、踏板とループ形状の捕獲ワイヤを踏板により隠蔽したトラップ構造と捕獲ワイヤの縮径作動を行うワイヤ縮径機構とにより構成されている（例えば、特許文献１）。
【先行技術文献】
【特許文献】
【０００３】
【特許文献１】特開２０１６−０３６３３１号公報
【発明の概要】
【発明が解決しようとする課題】
【０００４】
しかし、かかる従来の害獣捕獲具は、害獣が踏板を踏む動作を契機として捕獲ワイヤがスプリングを介して縮径動作するまでの時間が長くなる。その理由は、踏板の動作から捕獲ワイヤの縮径動作までの連動機構の構造が構造的に複雑でかつ、その間に介在した連動仲介機構の部品点数が多いことに由来する。
【０００５】
この発明では、簡易な構造にもかかわらず最短距離と最短時間で、捕獲ワイヤの縮径作動が行えるように構成した害獣捕獲具を提供せんとするものである。
【課題を解決するための手段】
【０００６】
この発明は、周縁に側壁を立ち上げた筒基盤と、筒基盤の側壁に両端部をそれぞれ枢支し左右それぞれを起立付勢した半円弧状の左右ワイヤ保持体と、左右ワイヤ保持体の倒伏状態で左右ワイヤ保持体の半円弧外周面を囲繞した捕獲ワイヤのループ部と、左右ワイヤ保持体を囲繞したワイヤのループ部基部を引張ってループを縮径付勢するワイヤ縮径付勢機構とにより構成したことを特徴とする害獣捕獲具を提供せんとするものである。
【０００７】
また、ワイヤ縮径付勢機構は、ループ状ワイヤのループ基部となるワイヤ両自由端部を挿通ガイドするワイヤガイド部材と、該ガイド部材の下手側に配設し、ループ基部から延出した二本のワイヤをそれぞれ挿通した二本のワイヤ挿通パイプと、二本のワイヤ挿通パイプの開口基端に当接したワイヤを緊張方向に自在に引張りその位置で固定できると共に、ワイヤを弛緩方向に緩めることができるワイヤワンウェイ機能付きのストッパー機能部材と、二本のそれぞれのワイヤ挿通パイプ中において、ワイヤ外周を囲繞し、ストッパー機能部材とワイヤガイド部材との間に圧縮介在した巻きバネと、よりなることを特徴とする。
また、二本のワイヤ挿通パイプは筒状の外形ケース中に一体に収納していることを特徴とする。
【発明の効果】
【０００８】
請求項１の発明によれば、両端部を筒基盤にそれぞれ枢支し、左右それぞれを起立付勢した半円弧状の左右ワイヤ保持体を設け、左右ワイヤ保持体の倒伏状態でその半円弧外周面を捕獲ワイヤのループ部で囲繞したので、左右ワイヤ保持体が踏板作動により起立した場合に捕獲ワイヤは左右ワイヤ保持体の起立と同時に跳ね上げられることになり、瞬時に害獣の脚体を捕縛することができる効果がある。
更には、捕獲ワイヤのループ部形成作動やループ縮径作動を筒基盤の外側方に配設したワイヤ縮径付勢機構によって行うために、捕獲ワイヤの作動構造が簡単になり害獣の捕縛機能を向上することができる効果がある。
【０００９】
請求項２の発明によれば、ワイヤ縮径付勢機構は、ループ部を形成する捕獲ワイヤの両自由端を二本のワイヤ挿通パイプに挿通して両自由端を共にそれぞれの巻きバネで引張り付勢してループ部縮径作動を行うように構成したので、一方のワイヤ自由端は固定し、ループ部の他の自由端の一方のみを引張り付勢する従来のループ部縮径構造と比し、半分の時間と応力でループ部の縮径作動が行えることになり、迅速な捕縛作動が行えるため、捕縛の確実性を向上できる効果がある。
【図面の簡単な説明】
【００１０】
【図１】本発明の実施形態における害獣捕獲具を示す斜視図である。
【図２】本発明の実施形態における害獣捕獲具の罠の作動状態を示す図である。
【図３】本発明の実施形態における害獣捕獲具のワイヤ縮径付勢機構の構成を示す図１におけるＢ-Ｂ切断線の断面図である。
【図４】本発明の実施形態における害獣捕獲具の非作動状態における内部構造を示す図である。
【図５】本発明の実施形態における害獣捕獲具の作動状態における内部構造を示す図である。
【図６】本発明の実施形態における害獣捕獲具のワイヤ固定機構の内部構造を示す図であり、（ａ）は内部構造を示す図であり、（ｂ）は捕獲ワイヤをボールが押圧した状態を示す図である。
【発明を実施するための形態】
【００１１】
この発明の要旨は、周縁に側壁を立ち上げた筒基盤と筒基盤の側壁に両端部をそれぞれ枢支し左右それぞれを起立付勢した半円弧状の左右ワイヤ保持体と、左右ワイヤ保持体の倒伏状態で左右ワイヤ保持体の半円弧外周面を囲繞した捕獲ワイヤのループ部と、左右ワイヤ保持体を囲繞したワイヤのループ部基部を引っ張ってループを縮径付勢するワイヤ縮径付勢機構とにより構成したことである。
また、ワイヤ縮径付勢機構は、ループ状ワイヤのループ基部となるワイヤ両自由端部を挿通ガイドするワイヤガイド部材と、該ガイド部材の下手側に配設し、ループ基部から延出した二本のワイヤをそれぞれ挿通した二本のワイヤ挿通パイプと、二本のワイヤ挿通パイプの開口基端に当接したワイヤを緊張方向に自在に引張りその位置で固定できると共に、ワイヤを弛緩方向に緩めることができるワイヤワンウェイ機能付きのストッパー機能部材と、二本のそれぞれのワイヤ挿通パイプ中において、ワイヤお外周を囲繞し、ストッパー機能部材とワイヤガイド部材との間に圧縮介在した巻きバネと、よりなることを特徴とし、また、二本のワイヤ挿通パイプは筒状の外形ケース中に一体に収納していることを特徴とすることである。
【００１２】
この発明の実施例を図面に基づき詳説する。
図１は、本発明の全体説明図を示している。
【００１３】
本発明の害獣捕獲具Ａは、一定高さを有する周壁１を有した略楕円形状の筒基盤２を設けている。
筒基盤２の周壁１の相対する位置には、半円弧状の一定幅員で帯状の左右ワイヤ保持体３の両端部をそれぞれ枢支している。
【００１４】
左右ワイヤ保持体３は、半円弧状に形成して、枢支部４を中心に倒伏した状態では、常に左右水平にならないように枢支部４と、左右ワイヤ保持体３の基部とにわたってコイルバネ５を介設することで左右ワイヤ保持体３は、コイルバネ５により起立状態に付勢されている。
【００１５】
かかる左右ワイヤ保持体３を付勢に抗して倒伏した略水平状態においてトラップ機能を有する捕獲ワイヤａは、そのループ部ａ”で左右ワイヤ保持体３の帯体の外側面に当接して、左右ワイヤ保持体３の半弧状外側面３´を囲繞する。そして、捕獲ワイヤａの両自由端、すなわち、ループ基部は、左右ワイヤ保持体３の一方の枢支部４の位置で合流して後述するワイヤ縮径付勢機構ｂに連結される。
【００１６】
かかる構成において、筒基盤２と略同形状の踏板６が筒基盤２の上縁開口部に装着される。
すなわち、踏板６は、ほぼ水平状の左右ワイヤ保持体３の内側に遊嵌して、水平に装着されており、特に踏板６の周側壁６´外周面が半円弧状の左右ワイヤ保持体３の帯体外側面の下縁部と当接係合するように嵌着する。
すなわち、図１に示すように、左右ワイヤ保持体３は略水平状の左右開放した形態において、その内側に踏板６が嵌着されて踏板６の周側壁６´の外側面に左右ワイヤ保持体３の下縁部が当接して圧着係合状態となる。かかる踏板６によって左右ワイヤ保持体３は、コイルバネ５の付勢力に抗して筒基盤２に沿って水平開放状態を保持する。
【００１７】
かかる踏板６と、左右ワイヤ保持体３と、左右ワイヤ保持体３外周面で当接保型したループ状の捕獲ワイヤａとの三部材によって、害獣の脚体捕獲機構が構成される。
すなわち、かかる捕獲機構において、害獣の脚体が踏板６を踏むと、踏板６が降下し、左右ワイヤ保持体３との係合が外れる。その結果、捕獲ワイヤａをループ状に保持していた左右ワイヤ保持体３の水平開放形態が解消して、左右ワイヤ保持体３は、コイルバネ５の付勢により起立作動する。左右ワイヤ保持体３の外周に巻回支持した捕獲ワイヤａのループ部ａ”も同時に左右ワイヤ保持体３によって持ち上げられて図２に示すように迅速に害獣の脚体を囲繞する。
【００１８】
同時に、捕獲ワイヤａのループ部ａ”は、左右ワイヤ保持体３の規制が解除されて、後述するワイヤ縮径付勢機構ｂによって、捕獲ワイヤａの自由端が引張られてループ部ａ”が縮径されて害獣の脚体を捕縛する。
【００１９】
次に、図３〜６によってループ部ａ”を形成した捕獲ワイヤａを緊張作動するためのワイヤ縮径付勢機構ｂについて説明する。すなわち、筒基盤２の周側壁２´において、左右ワイヤ保持体３の枢支部４近傍には、切欠部を形成し、この切欠部にワイヤ縮径付勢機構ｂを装着する。ワイヤ縮径付勢機構ｂは、図３に示すように二本のワイヤ挿通パイプ７、７´と、該二本の挿通パイプを一体に並存した外形ケース８と、各ワイヤ挿通パイプ７、７´中にそれぞれ遊嵌したバネ収納パイプ９と、バネ収納パイプ９の先端にそれぞれ取付けたワイヤガイド部材１０と、バネ収納パイプ９中に圧縮して収納した巻きバネ１１と、バネ収納パイプ９の終端において捕獲ワイヤａをワイヤのループ部ａ”方向へ挿通可能としながら、その反対方向へはストッパー機能を果たして捕獲ワイヤａを一体固定するストッパー機能部材１２と巻きバネ１１中に挿通した捕獲ワイヤａにおける自由端ワイヤａ´とより構成されている。
【００２０】
かかるワイヤ縮径付勢機構ｂは、次のように機能する。すなわち、踏板６を害獣の脚体が踏んだ際に、捕獲ワイヤａのループ部ａ”のループ規制が解除されてワイヤ縮径付勢機構ｂにより引張られて、ループ部ａ”が縮径して害獣の脚体を捕縛する。図３および図４に示すように、時系列にその作用を説明すると、まず
（ｉ）踏板６が外れる、（ｉｉ）左右ワイヤ保持体３がコイルバネ５の付勢により起立する、（ｉｉｉ）捕獲ワイヤａのループ部ａ”が左右ワイヤ保持体３の起立姿勢への変位により左右ワイヤ保持体３から離脱してループ部ａ”の規制が外れる、（ｉｖ）ワイヤ縮径付勢機構ｂ中において、圧縮状態でワイヤ挿通パイプ７、７´中に収納した巻きバネ１１が伸長してワイヤガイド部材１０をループ部ａ”側に移動させると共に、ストッパー機能部材１２を介して捕獲ワイヤａの自由端ワイヤａ´をループ部ａ”を縮径方向に引張る、（ｖ）縮径作動するループ部ａ”は跳ね上がりながら縮径することで害獣の脚体を捕縛する。
【００２１】
ストッパー機能部材１２は、図３〜５に示すように、内筒１１−１と内周面をテーパ状とする外筒１１−２とで構成している。内筒１１−１の周壁にはボール挿通孔１１−３を穿設しており、球形状のボール１１−４が内筒１１−１と外筒１１−２との間でボール挿通孔１１−３を介して移動し、ワイヤの一方向のみのワイヤ挿通機能を果たす。従って、捕獲ワイヤａの自由端ワイヤａ´をストッパー機能部材１２中からループ部ａ”方向に引張ってループ部ａ”を左右ワイヤ保持体３に巻着して捕獲準備が完了する。
ここにおいて、図４に示すように、巻きバネ１１がワイヤ縮径付勢機構ｂのワイヤ挿通パイプ７，７´に収納される際には極限まで圧縮されて伸長付勢力を貯め込んでいる。かかる圧縮された巻きバネ１１は、捕獲ワイヤａのループ部ａ”をともなった固定形態のもとに圧縮状態が維持されている。すなわち捕獲ワイヤａはストッパー機能部材１２の位置で自由端の一部を固定され、他端を左右ワイヤ保持体３にループ部を介してワイヤガイド部材１０に不動状態で挿通ガイドされている。従って、圧縮された巻きバネ１１は、伸長付勢を解除することができず圧縮状態のままで収納されている。
かかる状態で踏板６が踏まれて左右ワイヤ保持体３が起立してループ部ａ”をループ状態に維持する規制がなくなると、ワイヤ挿通パイプ７、７´内に圧縮収納された巻きバネ１１は伸長付勢の方向に伸張して、その弾性力によりワイヤガイド部材１０からワイヤ挿通パイプ７、７´が離反してループ部ａ”は縮径する。その分、捕獲ワイヤａは緊張状態から弛緩状態となる。
このとき、図５に示すように、縮径により弛緩した捕獲ワイヤａが弛緩した長さ分だけ挿通パイプ７、７´の先端より現れる。これにより挿通パイプ７、７´後端のストッパー機能部材１２が巻きバネ１１により強制的に後退変位をすることになり、捕獲ワイヤａを引張ってループ部の縮径を促す。同時に、圧縮した巻きバネ１１も挿通パイプ７、７´前端から突出することになり巻きバネ１１の伸長付勢作動が捕獲ワイヤａのループ部縮径作動に連なり、害獣の脚部の緊縛機能を果たすことになる。
なお、図６に示すように、ストッパー機能部材１２においてはボール挿通孔１１−３に配設したボール１１−４が外筒１１−１のテーパ状内周面に当接して内筒１１−２の中心方向に変位させられることで自由端ワイヤａ´を押圧し、自由端ワイヤａ´とストッパー機能部材１２とが一体となる。
【００２２】
このようにして、踏板６と左右ワイヤ保持体３とループ状の捕獲ワイヤａと、ワイヤ縮径付勢機構ｂとにより、害獣のトラップ機能が作動する。
【符号の説明】
【００２３】
１  側壁
２  筒基盤
３  左右ワイヤ保持体
３´半円弧状外側面
４  枢支部
５  コイルバネ
６  踏板
６´周側壁
７、７´  ワイヤ挿通パイプ
８  外形ケース
９  バネ収納パイプ
１０  ワイヤガイド部材
１１  巻きバネ
１１−１  内筒
１１−２  外筒
１１−３  ボール挿通孔
１１−４  ボール
１２  ストッパー機能部材
Ａ  害獣捕獲具
ａ  捕獲ワイヤ
ａ´自由端ワイヤ
ａ” ループ部
ｂ  ワイヤ縮径付勢機構
【図１】
2020124184.tif 000003
【図２】
2020124184.tif 000004
【図３】
2020124184.tif 000005
【図４】
2020124184.tif 000006
【図５】
2020124184.tif 000007
【図６】
2020124184.tif 000008